(57)【要約】      （修正有）【課題】アイドリング運転の完了を適切に判定でき、アイドリング運転を過不足なく実施できる切削装置を提供する。【解決手段】制御ユニット４４は、アイドリング運転の実施を指示するアイドリング運転指示部４４ａと、アイドリング運転の前と後とに、被加工物の表面に切削溝を形成させる切削溝形成指示部４４ｂと、撮像ユニット４２で被加工物の表面を撮像し、切削溝の長さを検出する長さ検出をアイドリング運転の前と後とに実施させる長さ検出指示部４４ｃと、アイドリング運転の前に検出される切削溝の長さとアイドリング運転の後に検出される切削溝の長さとの差の閾値を登録する閾値登録部４４ｄと、差が該閾値以上である場合、アイドリング運転が完了したことを確認できないと判定し、差が該閾値以下である場合さらなるアイドリング運転が不要と判定する判定部４４ｅとを備える。【選択図】図１
2018118344.tif 000002
【特許請求の範囲】
【請求項１】
被加工物を保持面で保持するチャックテーブルと、該チャックテーブルに保持された被加工物をスピンドルに装着された切削ブレードで切削する切削ユニットと、該チャックテーブルと該切削ブレードとを該保持面に垂直な切り込み送り方向及び該保持面に平行な加工送り方向に相対移動させる移動ユニットと、該チャックテーブルに保持された被加工物を撮像する撮像ユニットと、各構成要素を制御する制御ユニットと、を備える切削装置であって、
該制御ユニットは、
該切削ユニット及び該移動ユニットを駆動させるアイドリング運転の実施を指示するアイドリング運転指示部と、
該アイドリング運転の前と後とに、該被加工物に対し該切削ブレードを該切り込み送り方向に所定の位置まで移動させ、該被加工物の表面に切削溝を形成させる切削溝形成指示部と、
該撮像ユニットで該被加工物の表面を撮像し、該切削溝の長さを検出する長さ検出を該アイドリング運転の前と後とに実施させる長さ検出指示部と、
該アイドリング運転の前に検出される該切削溝の長さと、該アイドリング運転の後に検出される該切削溝の長さと、の差の閾値を登録する閾値登録部と、
該差が該閾値以上である場合、アイドリング運転が完了したことを確認できないと判定し、該差が該閾値以下である場合、さらなるアイドリング運転が不要と判定する判定部と、を備えることを特徴とする切削装置。
【請求項２】
被加工物を保持面で保持できる第１のチャックテーブルと、検出用の切削溝を形成するための検出用被加工物を保持できる第２のチャックテーブルと、該第１のチャックテーブルに保持された被加工物及び該第２のチャックテーブルに保持された該検出用被加工物をスピンドルに装着された切削ブレードで切削する切削ユニットと、該１のチャックテーブル及び第２のチャックテーブルと該切削ブレードとを該保持面に垂直な切り込み送り方向及び該保持面に平行な加工送り方向に相対移動させる移動ユニットと、該第１のチャックテーブルに保持された被加工物及び該第２のチャックテーブルに保持された検出用被加工物を撮像する撮像ユニットと、各構成要素を制御する制御ユニットと、を備える切削装置であって、
該制御ユニットは、
該切削ユニット及び該移動ユニットを駆動させるアイドリング運転の実施を指示するアイドリング運転指示部と
該アイドリング運転の前と後とに、該検出用被加工物に対し該切削ブレードを該切り込み送り方向に所定の位置まで移動させ、該検出用被加工物の表面に切削溝を形成させる切削溝形成指示部と、
該撮像ユニットで該検出用被加工物の表面を撮像し、該切削溝の長さを検出する長さ検出を該アイドリング運転の前と後とに実施させる長さ検出指示部と、
該アイドリング運転の前に検出される該切削溝の長さと、該アイドリング運転の後に検出される該切削溝の長さと、の差の閾値を登録する閾値登録部と、
該差が該閾値以上である場合、アイドリング運転が完了したことを確認できないと判定し、該差が該閾値以下である場合、さらなるアイドリング運転が不要と判定する判定部と、を備えることを特徴とする切削装置。
【発明の詳細な説明】
【技術分野】
【０００１】
本発明は、半導体ウェーハやパッケージ基板、ガラス基板やセラミックス基板等の板状の被加工物を切削加工する切削装置に関する。
【背景技術】
【０００２】
デバイスチップの製造プロセスにおいては、シリコンや化合物半導体からなるウェーハの表面にストリートと呼ばれる格子状の分割予定ラインが設定され、該分割予定ラインによって区画される各領域にＩＣ、ＬＳＩ等のデバイスが形成される。これらのウェーハは分割予定ラインに沿って切削され、個々のデバイスチップに分割される。
【０００３】
切削は、例えば、切削ブレードを備える切削装置により実施される。切削ブレードは、中央に孔を有する円環形状であり、被加工物の種別や加工内容によって適切なものが選択され切削装置の切削ユニットに装着される。切削ユニットは、回転の軸となる円柱状のスピンドルを有し、切削ブレードは、該孔に該スピンドルを挿入されて該切削ユニットに装着される。
【０００４】
切削装置を使用する際には、まず、該切削装置に電源を投入する。しかし、該切削装置に電源を投入した直後は、該切削装置の各構成要素の温度等の状態が通常の稼働時の温度等の状態にはなっていないため、各構成要素を通常通りに作動させようとしても該切削装置の本来の精度では切削加工を実施できない。そこで、被加工物に対する切削加工を実施する前に、スピンドルを回転させ、切削ブレードに切削液を供給し、切削装置が備えるチャックテーブルや該切削ユニットを移動等させることでアイドリング運転を実施する。
【０００５】
被加工物に切削加工を実施する前にアイドリング運転を実施すると、切削装置の各構成要素の温度等が通常の稼働時の状態となり、該切削装置が切削加工を本来の精度で安定的に実施できる状態となる。すると、最初の被加工物に対する切削加工から高い精度で切削加工を実施できる。
【先行技術文献】
【特許文献】
【０００６】
【特許文献１】特開２００１−２５９９６１号公報
【特許文献２】特開２００２−５９３６５号公報
【発明の概要】
【発明が解決しようとする課題】
【０００７】
アイドリング運転が十分に実施されたか否か、切削装置の外観から判断するのは容易ではなく、外観から得られる情報だけでアイドリング運転の終了を決定するのは困難である。そのため、アイドリング運転に要する時間について、一般的には切削装置の製造者が大きく余裕を持たせて推奨時間を設定し、該製造者は該推奨時間を切削装置の使用者に伝達する。そして、切削装置の使用者は該推奨時間に従ってアイドリング運転を実施する。
【０００８】
このような事情から、アイドリング運転の該推奨時間が経過する前に必要なアイドリング運転が完了し切削装置が十分な精度で加工可能な状態となる場合がある。しかし、装置の外観からは必要なアイドリング運転の完了を判断できないため、該推奨時間が経過するまではそのままアイドリング運転が過剰に継続されてしまう。
【０００９】
また、設定された該推奨時間が、切削装置が設置された環境や切削装置の使用態様に適応しておらず、アイドリング運転を該推奨時間で実施しても必要なアイドリング運転が完了せず、切削装置が十分な精度で加工可能な状態にならないおそれがある。その場合、さらなるアイドリング運転が必要であるにも関わらず、アイドリング運転が終了される。
【００１０】
本発明はかかる問題に鑑みてなされたものであり、その目的とするところは、アイドリング運転の完了を適切に判定でき、アイドリング運転を過不足なく実施できる切削装置を提供することである。
【課題を解決するための手段】
【００１１】
本発明の一態様によれば、被加工物を保持面で保持するチャックテーブルと、該チャックテーブルに保持された被加工物をスピンドルに装着された切削ブレードで切削する切削ユニットと、該チャックテーブルと該切削ブレードとを該保持面に垂直な切り込み送り方向及び該保持面に平行な加工送り方向に相対移動させる移動ユニットと、該チャックテーブルに保持された被加工物を撮像する撮像ユニットと、各構成要素を制御する制御ユニットと、を備える切削装置であって、該制御ユニットは、該切削ユニット及び該移動ユニットを駆動させるアイドリング運転の実施を指示するアイドリング運転指示部と、該アイドリング運転の前と後とに、該被加工物に対し該切削ブレードを該切り込み送り方向に所定の位置まで移動させ、該被加工物の表面に切削溝を形成させる切削溝形成指示部と、該撮像ユニットで該被加工物の表面を撮像し、該切削溝の長さを検出する長さ検出を該アイドリング運転の前と後とに実施させる長さ検出指示部と、該アイドリング運転の前に検出される該切削溝の長さと、該アイドリング運転の後に検出される該切削溝の長さと、の差の閾値を登録する閾値登録部と、該差が該閾値以上である場合、アイドリング運転が完了したことを確認できないと判定し、該差が該閾値以下である場合、さらなるアイドリング運転が不要と判定する判定部と、を備えることを特徴とする切削装置が提供される。
【００１２】
また、本発明の他の一態様によれば、被加工物を保持面で保持できる第１のチャックテーブルと、検出用の切削溝を形成するための検出用被加工物を保持できる第２のチャックテーブルと、該第１のチャックテーブルに保持された被加工物及び該第２のチャックテーブルに保持された該検出用被加工物をスピンドルに装着された切削ブレードで切削する切削ユニットと、該１のチャックテーブル及び第２のチャックテーブルと該切削ブレードとを該保持面に垂直な切り込み送り方向及び該保持面に平行な加工送り方向に相対移動させる移動ユニットと、該第１のチャックテーブルに保持された被加工物及び該第２のチャックテーブルに保持された検出用被加工物を撮像する撮像ユニットと、各構成要素を制御する制御ユニットと、を備える切削装置であって、該制御ユニットは、該切削ユニット及び該移動ユニットを駆動させるアイドリング運転の実施を指示するアイドリング運転指示部と該アイドリング運転の前と後とに、該検出用被加工物に対し該切削ブレードを該切り込み送り方向に所定の位置まで移動させ、該検出用被加工物の表面に切削溝を形成させる切削溝形成指示部と、該撮像ユニットで該検出用被加工物の表面を撮像し、該切削溝の長さを検出する長さ検出を該アイドリング運転の前と後とに実施させる長さ検出指示部と、該アイドリング運転の前に検出される該切削溝の長さと、該アイドリング運転の後に検出される該切削溝の長さと、の差の閾値を登録する閾値登録部と、該差が該閾値以上である場合、アイドリング運転が完了したことを確認できないと判定し、該差が該閾値以下である場合、さらなるアイドリング運転が不要と判定する判定部と、を備えることを特徴とする切削装置が提供される。
【発明の効果】
【００１３】
本発明の一態様に係る切削装置では、アイドリング運転を実施する前、及び、実施した後に、切削ブレードを切り込み送り方向に移動させて切削装置の被加工物（ワーク）、または、ドレッサーボードや疑似被加工物（ダミーワーク）に対して切削溝を形成する。
【００１４】
すると、アイドリング運転の前に形成された切削溝の長さと、後に形成された切削溝の長さと、を比較でき、その長さの差が所定の閾値以下であれば、切り込み方向への切削ブレードの移動の精度が十分に安定していると判断できる。この場合、判定部はそれ以上のアイドリング運転が不要であると判定する。そのため、切削装置の使用者はアイドリング運転を終了でき切削加工を開始できる。
【００１５】
また、該長さの差が所定の閾値よりも大きければ、切り込み方向への切削ブレードの移動の精度が十分に安定しているとは判断できない。この場合、判定部はアイドリング運転が完了したことを確認できないと判定する。すると、さらにアイドリング運転が実施されて切削装置がより安定化される。
【００１６】
十分な精度で加工可能な状態となる前に被加工物の切削加工を開始すると、所定の加工が実施されず被加工物を廃棄しなければならない場合があり問題となる。また、必要以上にアイドリング運転が実施されると、時間や電力等が無駄となり、切削装置の加工効率が低下し問題となる。しかし、本発明の一態様に係る切削装置では、アイドリング運転の完了を確認できるため、そのような問題を回避できる。
【００１７】
以上のように、本発明により、アイドリング運転の完了を適切に判定でき、アイドリング運転を過不足なく実施できる切削装置が提供される。
【図面の簡単な説明】
【００１８】
【図１】切削装置を模式的に示す説明図である。
【図２】図２（Ａ）は、アイドリング運転前の切削溝の形成を模式的に説明する断面図であり、図２（Ｂ）は、アイドリング運転後の切削溝の形成を模式的に説明する断面図であり、図３（Ｃ）は、撮像ユニットによる切削溝の撮像を模式的に説明する断面図である。
【図３】撮像ユニットにより撮像された撮像画像を示す模式図である。
【発明を実施するための形態】
【００１９】
添付図面を参照して、本発明の一態様に係る実施形態について説明する。まず、本実施形態に係る切削装置について図１を用いて説明する。図１は、切削装置２を模式的に示す説明図である。
【００２０】
図１に示すように、該切削装置２は、各構造を支持する基台４を備えている。基台４の中央部上には、Ｘ軸移動テーブル６、Ｘ軸移動テーブル６をＸ軸方向に移動させるＸ軸移動機構（移動ユニット）８が設けられている。
【００２１】
Ｘ軸移動機構８は、Ｘ軸方向に平行な一対のＸ軸ガイドレール１０を備えており、Ｘ軸ガイドレール１０には、Ｘ軸移動テーブル６がスライド可能に取り付けられている。Ｘ軸移動テーブル６の下面側には、ナット部（不図示）が設けられており、このナット部には、Ｘ軸ガイドレール１０に平行なＸ軸ボールネジ１２が螺合されている。
【００２２】
Ｘ軸ボールネジ１２の一端部には、Ｘ軸パルスモータ１４が連結されている。Ｘ軸パルスモータ１４でＸ軸ボールネジ１２を回転させることで、Ｘ軸移動テーブル６は、Ｘ軸ガイドレール１０に沿ってＸ軸方向に移動する。
【００２３】
Ｘ軸移動テーブル６の上方には、被加工物を保持するためのチャックテーブル１６が設けられている。チャックテーブル１６の周囲には、被加工物を支持する環状のフレームを四方から固定するための４個のクランプ１８が配置されている。
【００２４】
チャックテーブル１６は、モータ等の回転駆動源（不図示）に連結されており、Ｚ軸方向（鉛直方向）に概ね平行な回転軸の周りに回転する。また、チャックテーブル１６は、上述のＸ軸移動機構８でＸ軸方向に加工送りされる。
【００２５】
チャックテーブル１６の上面は、被加工物を保持する保持面１６ａになっている。この保持面１６ａは、チャックテーブル１６の内部に形成された吸引路等を通じて吸引源（不図示）に接続されている。
【００２６】
チャックテーブル１６に近接する位置には、被加工物をチャックテーブル１６へと搬送する搬送ユニット（不図示）が設けられている。搬送ユニットで搬送された被加工物は、例えば、表面側が上方に露出するようにチャックテーブル１６の保持面１６ａに載せられる。
【００２７】
基台４の上面には、２組の切削ユニット２０（第１切削ユニット２０ａ、第２切削ユニット２０ｂ）を支持するための門型の支持構造２２が、Ｘ軸ガイドレール１０を跨ぐように配置されている。支持構造２２の前面上部には、各切削ユニット２０をＹ軸方向（左右方向、割り出し送り方向）及びＺ軸方向に移動させる２組の切削ユニット移動機構（移動ユニット）２４が設けられている。
【００２８】
各切削ユニット移動機構２４は、支持構造２２の前面に配置されＹ軸方向に平行な一対のＹ軸ガイドレール２６を共通に備えている。Ｙ軸ガイドレール２６には、各切削ユニット移動機構２４を構成するＹ軸移動プレート２８がスライド可能に取り付けられている。
【００２９】
各Ｙ軸移動プレート２８の裏面側（後面側）には、ナット部（不図示）が設けられており、このナット部には、Ｙ軸ガイドレール２６に平行なＹ軸ボールネジ３０がそれぞれ螺合されている。各Ｙ軸ボールネジ３０の一端部には、Ｙ軸パルスモータ３２が連結されている。Ｙ軸パルスモータ３２でＹ軸ボールネジ３０を回転させれば、Ｙ軸移動プレート２８は、Ｙ軸ガイドレール２６に沿ってＹ軸方向に移動する。
【００３０】
各Ｙ軸移動プレート２８の表面（前面）には、Ｚ軸方向に平行な一対のＺ軸ガイドレール３４が設けられている。Ｚ軸ガイドレール３４には、Ｚ軸移動プレート３６がスライド可能に取り付けられている。
【００３１】
各Ｚ軸移動プレート３６の裏面側（後面側）には、ナット部（不図示）が設けられており、このナット部には、Ｚ軸ガイドレール３４に平行なＺ軸ボールネジ３８がそれぞれ螺合されている。各Ｚ軸ボールネジ３８の一端部には、Ｚ軸パルスモータ４０が連結されている。Ｚ軸パルスモータ４０でＺ軸ボールネジ３８を回転させれば、Ｚ軸移動プレート３６は、Ｚ軸ガイドレール３４に沿ってＺ軸方向に移動する。
【００３２】
各Ｚ軸移動プレート３６の下部には、切削ユニット２０が設けられている。この切削ユニット２０は、回転軸となるスピンドルの一端側に装着された円環状の切削ブレードを備えている。また、切削ユニット２０に隣接する位置には、被加工物等を撮像する撮像ユニット（撮像カメラ）４２が設けられている。
【００３３】
各切削ユニット移動機構２４でＹ軸移動プレート２８をＹ軸方向に移動させれば、切削ユニット２０及び撮像ユニット４２は、Ｙ軸方向に割り出し送りされる。また、各切削ユニット移動機構２４でＺ軸移動プレート３６をＺ軸方向に移動させれば、切削ユニット２０及び撮像ユニット４２は、切り込み送り方向に昇降する。
【００３４】
Ｘ軸移動機構８、チャックテーブル１６、切削ユニット２０、切削ユニット移動機構２４、撮像ユニット４２等の切削装置２の構成要素には、制御ユニット（制御手段）４４が接続されている。各構成要素は、該制御ユニット（制御手段）４４によって制御される。
【００３５】
また、本実施形態に係る切削装置２のチャックテーブル１６の近傍には、ドレッサーボード用チャックテーブル４６が設けられている。ドレッサーボード用チャックテーブル４６の上面は、ドレッサーボードを保持する保持面４６ａである。保持面４６ａには、例えば、平面視で十字型（クロス型）の吸引溝が形成されており、十字（クロス）の中心には吸引孔が形成されている。該吸引孔は、ドレッサーボード用チャックテーブル４６の内部の吸引路（不図示）を経て、図示しない吸引源に通じている。
【００３６】
ドレッサーボード用チャックテーブル４６の保持面４６ａにドレッサーボードが載置されると、該吸引源から負圧を作用させて、ドレッサーボードを保持面４６ａ上に吸引保持する。ドレッサーボード用チャックテーブル４６が無い場合には、切削ブレードのドレッシングを実施するとき、チャックテーブル１６にドレッサーボードを保持させる。
【００３７】
制御ユニット（制御手段）４４は、切削装置２の各構成要素を制御して、チャックテーブル１６に保持された被加工物に対する切削加工を実施する機能を有する。さらに、制御ユニット４４は、アイドリング運転指示部４４ａと、切削溝形成指示部４４ｂと、長さ検出指示部４４ｃと、閾値登録部４４ｄと、判定部４４ｅと、を有する。そして、切削装置２の各構成要素を制御してアイドリング運転を実施し、該切削装置２を十分な精度で切削加工を実施できる状態とする機能を有する。
【００３８】
アイドリング運転指示部４４ａは、切削ユニット２０及び移動ユニット（切削ユニット移動機構２４）に対してアイドリング運転の実施を指示する機能を有する。アイドリング運転指示部４４ａは、それぞれのユニットに指示し切削加工中にする動作を模したアイドリング運転を実施させる。
【００３９】
切削溝形成指示部４４ｂは、アイドリング運転の前及び後にチャックテーブル１６またはドレッサーボード用チャックテーブル４６に保持された被加工物１等に切削ブレード２０を切り込ませて切削溝を形成させる機能を有する。切削溝形成指示部４４ｂは、例えば、切削ユニット２０を被加工物１のデバイス等が形成されていない余剰領域の直上に移動させ、該余剰領域に該切削溝を形成するよう指示する。
【００４０】
ここで、該切削溝が形成される被加工物１等は、被加工物（ワーク）でなくてもよく、疑似被加工物（ダミーワーク）またはドレッサーボード等でもよい。
【００４１】
長さ検出指示部４４ｃは、該撮像ユニット４２に被加工物１等の表面を撮像させ、得られた撮像画像から切削溝の長さを検出する機能を有する。そして、アイドリング運転の前に形成された切削溝の長さと、アイドリング運転の後に形成された切削溝の長さと、を検出して、その長さの差に関する情報等を判定部４４ｅに送る。
【００４２】
閾値登録部４４ｄには、該アイドリング運転の前に検出される該切削溝の長さと、該アイドリング運転の後に検出される該切削溝の長さと、の差の閾値が登録されている。該閾値は、必要なアイドリング運転が完了したと判断できる切削溝の長さの差である。該閾値は、切削装置２、切削ユニット２０に装着された切削ブレード、及び、被加工物等の種別によって決定される。また、実施される切削加工の条件によって決定されてもよい。
【００４３】
切削溝形成指示部４４ｂの指示により形成される切削溝の長さには、切削装置２の各構成要素の温度等の状態に依存しない誤差等が生じる場合がある。すなわち、時間を隔てて該切削ブレードに２つの切削溝を被加工物１等の表面の異なる位置に形成させるとき、それぞれの切削溝を形成する際の切削装置２の各構成要素の温度等の状態が略同一でも、軸等の精度の影響により２つの切削溝の長さが変化する場合がある。該閾値は、該誤差等が考慮されて決定される値である。
【００４４】
判定部４４ｅは、該長さ検出指示部４４ｃから送られた切削溝の長さの差と、該閾値登録部４４ｄに登録された切削溝の長さの差の閾値と、を読み出す。該切削溝の長さの差が該閾値以上である場合、アイドリング運転が完了したとは確認できないと判定し、該差が該閾値以下である場合、さらなるアイドリング運転は不要と判定する機能を有する。
【００４５】
さらなるアイドリング運転が不要と判定されれば、被加工物の切削加工を開始できる。アイドリング運転が完了したとは確認できないと判定された場合、切削加工を開始できない。その場合、判定部４４ｅはアイドリング運転指示部４４ａに判定結果を伝達し、アイドリング運転指示部４４ａにさらなるアイドリング運転を実施させる。
【００４６】
なお、制御ユニット（制御手段）４４は、例えば、装置制御用ＰＣであり、制御ユニット４４の各構成要素は、該装置制御用ＰＣ上にソフトウェアとして実現されてもよい。また、判定部４４ｅによる判定結果は、該装置制御用ＰＣのディスプレイに表示され切削装置２の使用者（オペレータ）に報知されてもよい。
【００４７】
切削装置の各構成要素は、内部の温度等に応じて動作に微差が生じる。そのため、アイドリング運転が実施され温度等の状態が定常的な状態とならなければ、所望の加工結果が得られない場合がある。そこで、被加工物の切削加工を実施する前にアイドリング運転を実施し、各構成要素を定常的な状態とする。しかし、アイドリング運転が実施されている間、切削装置は切削加工を実施できないため、アイドリング運転は可能な限り短時間で終了されるのが好ましい。
【００４８】
本実施形態に係る切削装置２では、制御ユニット４４の各構成要素の働きにより、アイドリング運転の完了を適切に判定でき、アイドリング運転の推奨時間に関わらず、アイドリング運転を過不足なく実施できる。
【００４９】
次に、本実施形態に係る切削装置２に電源が投入されてから、アイドリング運転が完了するまでの過程について説明する。まず、切削装置２に電源が投入された後、アイドリング運転を実施する前に、被加工物等に切削溝を形成する。図２（Ａ）は、該切削溝３ａの形成について模式的に説明する断面図である。制御ユニット４４の切削溝形成指示部４４ｂは、該切削装置２の各構成要素に該切削溝３ａを形成させる。
【００５０】
切削溝３ａが形成される被加工物１等は、チャックテーブル１６、または、ドレッサーボード用チャックテーブル４６に保持されている。切削ブレード２０ｃの回転が開始され切削液が切削ブレード２０ｃに供給され、移動ユニット（切削ユニット移動機構２４）を作動させて、切削ブレード２０ｃを切り込み送り方向（Ｚ軸方向）に移動させる。切削ブレード２０ｃが所定の高さ位置にまで移動されると、被加工物１等が切削されて切削溝３ａが形成される。
【００５１】
次に、切削装置２の各構成要素にアイドリング運転を所定の時間実施させる。制御ユニット４４のアイドリング運転指示部４４ａが切削装置２の各構成要素にアイドリング運転を実施させる。アイドリング運転指示部４４ａが指示するアイドリング運転は、例えば、切削装置２の通常の稼働時の動作を模した動作である。例えば、スピンドルを回転させつつ切削ブレードに切削液を供給する動作であり、稼働時の状態を現出させる。また、切削装置２の各構成要素の温度等の状態をいち早く定常的な状態とするために、通常の稼働時の動作よりも高い強度の動作が実施されてもよい。
【００５２】
切削装置２で実施される該アイドリング運転の実施時間は、例えば、切削装置２の製造者が設定するアイドリング運転の推奨時間よりも短い。該推奨時間が３０分間である場合、切削装置２で実施される該アイドリング運転の実施時間は、例えば、５分間である。
【００５３】
アイドリング運転が実施された後、制御ユニット４４の切削溝形成指示部４４ｂは切削装置２の各構成要素に切削溝３ｂを形成させる。図２（Ｂ）は、切削溝３ｂの形成を模式的に説明する断面図である。切削溝３ｂは、アイドリング運転が実施される前に切削溝３ａを形成したブレードによって切削溝３ａとは異なる位置に形成される。
【００５４】
次に、制御ユニット４４の長さ検出指示部４４ｃの指示により、図２（Ｃ）に示す通り、被加工物１等の表面が該撮像ユニット４２で撮像され、得られた撮像画像から各切削溝の長さＬが検出される。そして、切削溝３ａの長さと、切削溝３ｂの長さと、が判定部４４ｅにより比較される。判定部４４ｅは、閾値となる値を閾値登録部４４ｄから読み出して、切削溝３ａの長さと、切削溝３ｂの長さと、の差を該閾値と比較する。
【００５５】
切削装置２の各構成要素の温度等の状態が定常的な状態とは異なる場合、切削ブレード２０ｃを所定の高さ位置に移動させようとしても、切削ブレード２０ｃが該所定の高さ位置からずれて位置付けられる。そのため、切削溝は、該各構成要素の温度等の状態が定常的な状態であるときに形成される切削溝とは異なる長さに形成される。
【００５６】
アイドリング運転の前後で形成される切削溝の長さの値が異なる場合、切削装置２の各構成要素の温度等の状態がアイドリング運転の前後で変化したといえる。そのため、各構成要素の温度等の状態が定常的な状態であるとは確認できない。その一方で、該切削溝の長さの値が略同一である場合に、各構成要素の温度等の状態がアイドリング運転の前後でほぼ変化していないといえる。すなわち、各構成要素の温度等の状態が定常的な状態となっていると確認できる。
【００５７】
アイドリング運転の前後にそれぞれ形成された切削溝の長さの差の値が、該閾値以下である場合、判定部４４ｅは、切削装置２の各構成要素の温度等の状態が定常的な状態となっていると判定する。すなわち、判定部４４ｅは、それ以上のアイドリング運転が不要であり切削装置２が通常の切削加工を本来の精度で安定的に実施できる状態にあると判定する。
【００５８】
その一方で、切削溝の長さの差が該閾値以上である場合、判定部４４ｅは切削装置２の各構成要素の温度等の状態が定常的な状態となっていることを確認できず、アイドリング運転の完了が確認できないと判定する。そして、判定部４４ｅは、判定結果をアイドリング運転指示部４４ａに伝達して、さらなるアイドリング運転をアイドリング運転指示部４４ａに指示させる。その後、同様に新たな切削溝が形成され、その長さが検出され、再度判定部４４ｅはそれ以上のアイドリング運転が必要か否かについて判定する。
【００５９】
判定部４４ｅによる判定の一例について、図３を用いて説明する。図３は、撮像ユニット４２により撮像された撮像画像５を示す模式図である。図３に示す撮像画像５の一例には、被加工物１に形成された切削溝３ａ、切削溝３ｂ、及び、切削溝３ｃが捉えられている。
【００６０】
例えば、切削溝３ａは、切削装置２の電源が投入された直後に、アイドリング運転が実施される前に被加工物１に形成された切削溝である。切削溝３ｂは、アイドリング運転が実施された後に被加工物１に形成された切削溝である。切削溝３ｃは、切削溝３ｂが形成された後に更にアイドリング運転が実施され、その後に被加工物１に形成された切削溝である。
【００６１】
判定部４４ｅによる最初の判定は、切削溝３ａ及び切削溝３ｂが形成された後に実施される。切削溝３ａ及び切削溝３ｂが写る撮像画像から切削溝３ａの長さＬ１と、切削溝３ｂの長さＬ２と、が得られる。判定部４４ｅでは、切削溝３ａの長さＬ１と、切削溝３ｂの長さＬ２と、の差の値を閾値登録部４４ｄに登録された閾値と比較する。
【００６２】
その結果、該差が閾値を上回る場合、判定部４４ｅは切削装置２のアイドリング運転が完了していることを確認できないと判定する。更にアイドリング運転が実施され、切削溝３ｃが形成され、長さ検出指示部４４ｃが撮像ユニット４２に被加工物１を撮像させると、図３に例示する撮像画像５が得られる。
【００６３】
図３に示す撮像画像５からは、切削溝３ｂの長さＬ２と、切削溝３ｃの長さＬ３と、が得られる。判定部４４ｅは、切削溝３ｂの長さＬ２と、切削溝３ｃの長さＬ３と、の差の値を閾値登録部４４ｄに登録された閾値と比較する。その結果、該差が該閾値を下回ると、判定部４４ｅは切削装置２のさらなるアイドリング運転が不要であると判定する。すると、アイドリング運転が十分に実施され、切削装置２の各構成要素の温度等の状態が定常的な状態となり、被加工物１の切削加工を開始できる状態となったことが確認される。
【００６４】
以上のように、本実施形態に係る切削装置２によると、制御ユニット４４の判定部４４ｅによる判定が実施されることで、アイドリング運転の完了を確認できるため、切削装置２のアイドリング運転を過不足なく実施できる。切削装置２のアイドリング運転推奨時間よりも短時間でアイドリング運転を完了できれば、切削装置２による切削加工を早期に開始できるため、切削加工の効率を上げることができる。
【００６５】
また、該アイドリング運転推奨時間を超えてもアイドリング運転の完了が確認できない場合、必要なアイドリング運転をさらに実施した後で切削装置２による切削加工を開始できる。そのため、アイドリング運転が十分に実施されていない状態で切削加工を実施することがない。すると、所定の水準に達しない切削加工を実施して被加工物を無駄にすることがないため、切削加工の効率を上げることができる。
【００６６】
なお、本発明は、上記の実施形態の記載に限定されず、種々変更して実施可能である。例えば、上記の実施形態においては、切削装置２に電源を投入した後、アイドリング運転を実施する前に切削溝を形成し、その後アイドリング運転を実施した後に次の切削溝を形成して判定を実施するが、本願はこれに限らない。
【００６７】
アイドリング運転を一度も実施していないとき、切削装置２の各構成要素の温度等の状態が明らかに定常的な状態とは異なる場合、最初のアイドリング運転を実施する前には切削溝を形成しなくてもよい。最初のアイドリング運転の前後で切削装置２の各構成要素の温度等の状態が大きく変化する場合、最初のアイドリング運転の前後のそれぞれで切削溝を形成して切削溝の長さを比較するまでもなく、アイドリング運転が完了したことを確認できない。
【００６８】
その場合、最初のアイドリング運転を実施する前には切削溝を形成せず、最初のアイドリング運転を実施した後に最初の切削溝を形成し、さらに２回目のアイドリング運転を実施して、その後に２番目の切削溝を形成する。そして、最初の切削溝の長さと、２番目の切削溝の長さと、を比較して判定部４４ｅによる判定を実施する。この場合、最初のアイドリング運転を実施する前に切削溝を形成しないため、該切削溝を形成する時間を省略できる。
【００６９】
その他、上記実施形態に係る構造、方法等は、本発明の目的の範囲を逸脱しない限りにおいて適宜変更して実施できる。
【符号の説明】
【００７０】
１  被加工物
３，３ａ，３ｂ，３ｃ  切削溝
５  撮像画像
２  切削装置
４  基台
６  Ｘ軸移動テーブル
８  Ｘ軸移動機構
１０  Ｘ軸ガイドレール
１２  Ｘ軸ボールネジ
１４  Ｘ軸パルスモータ
１６  チャックテーブル
１６ａ  保持面
１８  クランプ
２０  切削ユニット
２０ａ  第１切削ユニット
２０ｂ  第２切削ユニット
２０ｃ  切削ブレード
２２  支持構造
２４  切削ユニット移動機構
２６  Ｙ軸ガイドレール
２８  Ｙ軸移動プレート
３０  Ｙ軸ボールネジ
３２  Ｙ軸パルスモータ
３４  Ｚ軸ガイドレール
３６  Ｚ軸移動プレート
３８  Ｚ軸ボールネジ
４０  Ｚ軸パルスモータ
４２  撮像カメラ（撮像ユニット）
４４  制御ユニット（制御手段）
４４ａ  アイドリング運転指示部
４４ｂ  切削溝形成指示部
４４ｃ  長さ検出指示部
４４ｄ  閾値登録部
４４ｅ  判定部
４６  ドレッシングボード用チャックテーブル
４６ａ  保持面
【図１】
2018118344.tif 000003
【図２】
2018118344.tif 000004
【図３】
2018118344.tif 000005